(57)【要約】【課題】アイドル時間を利用して、追加データの取得を行うことによって、再生時における装置の負荷を抑制すると共に、再生の中断やエラーの発生を低減する。【解決手段】無線タグ８が設けられている光ディスク９を駆動する光ディスクドライブ１と、光ディスク９の再生制御を行う制御部３と、無線タグ８から追加データ取得情報を読み取る無線タグ読み取り部７と、追加データ提供サーバ２０に接続されるネットワーク接続部６と、追加データ取得情報に基づいてダウンロードされた追加データ１１が格納される記憶部２とを備えたディスク再生装置１０において、ディスク再生装置１０のアイドル時間に、追加データ１１のダウンロードが行われる。【選択図】図１
2009093773.tif 000002
【特許請求の範囲】
【請求項１】
無線タグが設けられているメディアを駆動するドライブと、前記メディアの再生制御を行う制御部と、前記無線タグから追加データ取得情報の読み取りを行う無線タグ読み取り部と、追加データ提供サーバに接続されるネットワーク接続部と、前記追加データ取得情報に基づいて、ダウンロードされた追加データが格納される記憶部と、を備えたメディア再生装置において、
当該再生装置のアイドル時間に、前記追加データのダウンロードが行われることを特徴とするメディア再生装置。
【請求項２】
請求項１に記載のメディア再生装置において、
前記ダウンロードが、前記メディアの再生前に行われることを特徴とするメディア再生装置。
【請求項３】
請求項１または２に記載のメディア再生装置において、
前記無線タグに記録されている追加データ取得情報が、前記メディアの記録データに含まれていることを特徴とするメディア再生装置。
【請求項４】
請求項３に記載のメディア再生装置において、
前記メディアに記録されている前記追加データ取得情報は、メディア識別情報を含み、当該識別情報に基づいて前記記憶部における追加データの検索が行われることを特徴とするメディア再生装置。
【請求項５】
請求項１ないし４のいずれかに記載のメディア再生装置において、
前記追加データがコンテンツデータであることを特徴とするメディア再生装置。
【請求項６】
請求項１ないし４のいずれかに記載のメディア再生装置において、
前記追加データが制御データであることを特徴とするメディア再生装置。
【発明の詳細な説明】
【技術分野】
【０００１】
本発明は、光ディスク等のメディアを再生する装置に関し、より詳細には、無線タグを利用したメディア再生装置に関する。
【背景技術】
【０００２】
バーコードに代わる技術として、ＲＦＩＤ（Radio Frequency IDentification）技術が利用されるようになっている。ＲＦＩＤは、ＩＤ情報等が内蔵される無線タグ（電子タグ、ＩＣタグともいう）と、無線タグのＩＤ情報を読み取るタグリーダとを組み合わせて利用する。また、電子マネーに利用されている非接触型のＩＣカードにもＲＦＩＤ技術が利用されている。
【０００３】
ＲＦＩＤは、バーコードと異なり同じ品番の製品であっても、完全に一つ一つを識別でき、さらに同時に複数のＩＤ情報を読み取ることができるので、複雑な商品管理を行うことができる。例えば、バーコードでは、同じ品番の製品が複数存在すると、同じ製品を読みこんで在庫数を間違えることがあるが、ＲＦＩＤでは、個別かつ同時に複数のＩＤ情報を読み取ることができるので、同じ商品を誤って重複して数えることもない。
【０００４】
無線タグは、アクティブタイプとパッシブタイプとの２種類に分類される。パッシブタイプの無線タグは、タグリーダから無線タグに対して電磁波が出力され、出力された電磁波により無線タグで発電し、発電された電力により無線タグからタグリーダに対し無線通信を行う。
一方、アクティブタイプの無線タグは、電池が内蔵されており、自ら電磁波を発することができ、周波数が高いと長距離の通信も行うことができる。
【０００５】
無線タグは、使用される周波数によって、電磁誘導タイプと電波タイプとに分類される。電磁誘導タイプは、利用される電磁波の周波数が低い。すなわち電磁波の波長が長い。そして、コイルがアンテナの役割を果たす。
電波タイプは、利用される電磁波の周波数が高い。すなわち、電磁波の波長が短い。電波タイプでは、アンテナが別に設けられている。
【０００６】
これら様々なタイプの無線タグは、通信距離、形状、汚れや壁に対する強さにそれぞれ特徴があり、用途によって使い分けられている。例えば、認証などに利用される場合には、タグリーダと無線タグとの距離を接近させることができるので、通信距離が短くてすみ、電磁誘導タイプが利用されることが多い。
【０００７】
無線タグの用途は様々である。倉庫管理等の物流管理、部品管理等の製造管理、盗難防止等の防犯管理、レジ管理等のサービス管理、課金管理等の与信・決済等、無線タグの用途は広がっている。
【０００８】
無線タグは、ＬＡＮ、ＷＡＮ、インターネット等のネットワークを介し、様々な情報、すなわちデータをリアルタイムで入手できる。例えば、無線タグを商品管理に利用すると、残りの在庫数、サイズや色や機能等が異なる商品の情報を、ネットワークを介して得ることができる。
【０００９】
このように無線タグが様々な用途に利用されている中で、特許文献１では、玩具に非接触ＩＣカード等を設け、リーダーと玩具間で非接触のデータキャリアシステムによるデータ伝送を行う情報提供システムが提案されている。この情報提供システムでは、玩具内に記憶された玩具情報を検知し、インターネット等のホームページにアクセスする。そして、パーソナルコンピュータ（以下、「パソコン」という。）で、玩具情報に対応する関連情報、例えば、玩具が形象する実物や玩具自体の情報を取得する。
【００１０】
特許文献２では、光ディスクに設けられたＲＦＩＤタグに記録された光ディスクの個体識別情報を非接触で読み取ることにより、光ディスクのコンテンツの内容を示すディスク管理情報を有する光ディスク再生装置が提案されている。この光ディスク再生装置では、光ディスクを装填することなく、コンテンツの内容を示すディスク管理情報内のインデックス情報を画面に表示する。
【００１１】
特許文献３では、印刷されたＩＤコードが記憶されている情報表示媒体が手元に存在する場合に、ＩＤコードに基づいて記憶手段を検索し、記憶手段におけるコンテンツ情報によって印刷物の複製を作成する電子情報システムが提案されている。この電子情報システムでは、情報表示媒体からＩＤコードを読み取り、コンテンツ情報を読み取って、利用している。また、印刷内容の書き換えや変更を行うコンテンツがダウンロードされる。
【００１２】
特許文献４では、記憶媒体の識別番号に基づいて、通信ネットワーク上のサーバから字幕情報を受信する再生装置が提案されている。
この再生装置では、識別番号を通信ネットワーク上のサーバに送信することにより、記録媒体に記録されたビデオソフトの字幕情報をサーバに要求する。そして、字幕情報が存在する場合には、字幕情報をサーバから受信する。
【００１３】
【特許文献１】特開２００２−０６３０９２号公報
【特許文献２】特開２００６−０３１８４３号公報
【特許文献３】特開２００６−０５３６８６号公報
【特許文献４】特開２００４−３２８６５３号公報
【発明の開示】
【発明が解決しようとする課題】
【００１４】
特許文献１に記載の情報提供システムでは、外部の記憶手段に対し、自動的にアクセスしたり、日時に基づいてアクセスしたりしている。このため、記録手段にアクセスする時間が不規則であり、データ再生時にパソコン等に負荷がかかったり、データ再生時に再生開始待ち時間が発生したりする。
【００１５】
また、テレビやパソコン等に接続して利用することを前提としているメディア再生装置とは異なり、玩具では、自動的に情報提供を行ってもユーザがテレビやパソコン等に接続しなければ、情報を見ることができず、操作が煩雑である。
さらに、提供される情報は、玩具情報に対応する関連情報、例えば、玩具が形象する実物や玩具自体の情報、すなわちコンテンツデータであり、機能の追加、変更を行うような制御データは取得されない。
【００１６】
特許文献２に記載の光ディスク再生装置では、光ディスクに記録されているコンテンツに関する情報、コンテンツ自体は表示されない。また、インデックス情報が光ディスク再生装置に表示されるだけであり、ネットワークを介してコンテンツデータや制御データをダウンロードすることはできない。
【００１７】
特許文献３に記載の電子情報システムでは、ネットワークを介してダウンロードされる追加データは、原則としてユーザによって取り込まれた情報であり、最新の情報を自動的にアップデートするものではない。
また、ダウンロードするのはコンテンツ情報のみであり、制御データはダウンロードしていないので、システムにおける機能の追加、変更等を行うことはできない。
【００１８】
特許文献４に記載の電子情報システムでは、識別番号、すなわち光ディスク固有番号の取得に無線タグを使用していない。したがって、光ディスク再生装置に光ディスクを装填した後でなければ、光ディスクを識別することはできない。
また、字幕情報のダウンロードは、字幕の再生と略同時であるので、システムの負荷が大きくなり、再生の中止や再生エラーが発生する場合がある。
また、ダウンロードしているのは字幕情報というコンテンツ情報のみであり、制御データはダウンロードしていない。このため、システムにおける機能の追加、変更等を行うことはできない。
【００１９】
本発明はこのような実情に鑑み、アイドル時間を利用して、追加データの取得を行うことによって、再生時における装置の負荷を抑制すると共に、再生の中断やエラーの発生を低減したメディア再生装置を提供することを目的とする。
【課題を解決するための手段】
【００２０】
上記目的を達成すべく本発明は次の技術的手段を講じた。
本発明では、無線タグが設けられているメディアを駆動するドライブと、メディアの再生制御を行う制御部と、無線タグから追加データ取得情報の読み取りを行う無線タグ読み取り部と、追加データ提供サーバに接続されるネットワーク接続部と、追加データ取得情報に基づいて、ダウンロードされた追加データが格納される記憶部と、を備えたメディア再生装置において、当該再生装置のアイドル時間に、追加データのダウンロードが行われる。
【００２１】
このようにすると、アイドル時間、すなわち制御部の負荷が小さい時間に追加情報取得情報に基づいて、追加データのダウンロードが行われるので、再生時における制御部やメモリの負荷が抑制される。また、制御部やメモリの負荷が抑制されると、再生の中断やエラーの発生も低減する。
【００２２】
また、無線タグを利用することによって、追加データの取得が行われるので、予めデータを取得することも容易である。
なお、アイドル時間とは、制御部の負荷が小さい状態、すなわち一般的にはメディアの再生や記録を行っていない時間である。なお、ダウンロードをするには、無線タグ読み取り部やネットワーク接続部等が動作していれば十分なので、アイドル時間には、電源がＯＮしている状態で再生や記録を行っていない場合のみならず、スタンバイモードやスリープモードが含まれる場合がある。
【００２３】
本発明では、ダウンロードが、メディアの再生前に行われることが好ましい。
このようにすると、メディアの再生前に追加データを予め取得できるので、再生時に当該メディアに関連する情報を見ることができる。この場合、追加データがコンテンツデータであると、追加のコンテンツを見ることができ、追加データが制御データであると、機能の追加、変更等をメディア再生前に予め行うことができる。特に、無線タグを利用しているので、メディアをメディア再生装置におけるドライブに装填する前にデータの取得を行うことができる。
【００２４】
本発明では、無線タグに記録されている追加データ取得情報が、メディアの記録データに含まれていることが好ましい。
このようにすると、無線タグが読み取れなくなった場合であっても、メディアの記録データによって追加データ取得情報を読み取ることができる。また、メディアに追加データ取得情報が記録されていると、追加データ取得情報自体が大きなデータであっても対応することができる。
【００２５】
本発明では、メディアに記録されている追加データ取得情報がメディア識別情報を含み、当該識別情報に基づいて記憶部における追加データの検索が行われることが好ましい。
このようにすると、メディアをドライブに装填することによって、メディアから得られる識別情報に基づいて自動的に追加データの検索、すなわち選択を行うことができる。
つまり、メディア再生装置の記憶部に、多くのメディアに対応する追加データが含まれており、かつ、無線タグ読み取り部でこれら多くのメディアに対応する無線タグを読み取る場合がある。このような場合は、多くの追加データの中で、ユーザが所望の追加データを選択・再生する操作が煩雑となるが、本発明では、メディアの識別情報に基づいて、自動的にドライブに装填されたメディアを判別することができる。
【００２６】
本発明では、追加データがコンテンツデータであることが好ましい。
このようにすると、メディアに関する情報に基づいて、当該メディアに関連する追加のコンテンツデータを取得することができる。
例えば、映画の続編や歌手の新曲を入手することができる。この場合、映画の本編や曲自体ではなく、続編や新曲に関する情報のみとすることもできる。さらに、続編、新曲に関する情報、例えばタイトルのみを、まず追加データとして送り、その後ユーザの決定に基づいて、続編（本編）、新曲を追加データとして送ることもできる。
【００２７】
特に、コンテンツデータ大きくなると、制御部の負荷が大きくなるが、アイドル時間に追加データをダウンロードしておくと、再生時に中断やエラーが発生することが低減する。
【００２８】
本発明では、追加データが制御データであってもよい。
このようにすると、制御データのバージョンアップを行うことができる。例えば、メディア再生装置に、新しい機能を追加したり、ソフトウェアの安定性を向上させたりすることができる。アイドル時間、特に再生前のアイドル時間に制御データを予めダウンロードしておくと、再生時に中断やエラーが発生することが低減する。
なお、制御データとは、メディア再生装置の機能面での向上を図るデータという意味であり、制御データに映像、音声等が含まれる場合もある。
【発明の効果】
【００２９】
本発明によれば、アイドル時間を利用して、追加データの取得を行うことによって、再生時における装置の負荷を抑制すると共に、再生の中断やエラーの発生を低減したメディア再生装置を得ることができる。
【発明を実施するための最良の形態】
【００３０】
以下、本発明の実施形態を図面を参照しつつ説明する。
図１は、本発明の実施形態にかかるディスク再生装置のブロック図である。図１に示すように、ディスク再生装置１０には、光ディスク９が格納される光ディスクドライブ１が設けられている。光ディスクドライブ１は光ディスク９を駆動する。光ディスク９は、本発明におけるメディア（記録媒体）の一例であり、ディスク再生装置１０は、本発明におけるメディア再生装置の一例である。
【００３１】
光ディスク９には無線タグ８が設けられており、当該無線タグ８には追加データ取得情報が含まれる。また、光ディスク９のトラックに記録されている記録データ９ａには、追加データ取得情報が含まれている。
【００３２】
光ディスクドライブ１は、ローディングトレイを含む筐体と、光ディスク９のデータを読み取る光ピックアップと、光ピックアップを光ディスク９の半径方向に移動させるためのフィードモータと、光ディスク９を回転駆動するスピンドルモータと、これらのモータを制御するサーボ処理回路からなる。
【００３３】
記億部２はＨＤＤ（Hard Disk Drive）からなっており、映像データと音声データと制御データとを記憶する。記憶部２は、ネットワークを介してダウンロードすることにより取得した追加データ１１を記憶する。
【００３４】
制御部３は、光ディスク９の再生、追加データ取得情報の読み出し、追加データ取得情報に基づく追加データ提供サーバ２０からの追加データ１１の取得等、ディスク再生装置１０全体の制御を行う。
【００３５】
操作部４は、操作パネルからなっており、再生等の入力操作を行うことができる。信号処理部５は、光ピックアップにより読み取られたデータを増幅するＲＦアンプと、ＲＦアンプで増幅された信号を再生信号に変換するディジタル信号処理回路とからなる。なお、信号処理部５は、記憶部２内のデータの信号処理も行う。
【００３６】
また、ディスク再生装置１０の出力側にはテレビ３０が接続されており、信号処理部５で処理された再生信号がテレビ３０へ出力される。つまり、映像がディスプレイに表示されて、音声がスピーカから出力される。
なお、図示しないが、ディスク再生装置１０には、光ディスク９に照射されるレーザの出力を制御するレーザドライバ、光ディスク９から読み取ったデータを一時的に格納するＤＲＡＭ（Dynamic Random Access Memory）等も設けられている。
【００３７】
ネットワーク接続部６は、無線タグ読み取り部７や光ディスクドライブ１で読み取った追加データ取得情報に基づいて、追加データ提供サーバ２０と通信を行って追加データ１１をネットワークを介してダウンロードし、取得した追加データ１１を記憶部２に格納する。無線タグ読み取り部７はタグリーダからなっており、ネットワークはインターネットからなる。
【００３８】
追加データ１１は、コンテンツデータと制御データとからなる。コンテンツデータとは、例えば、光ディスク９が映画ソフトであると、映画の予告編、続編に関する情報、同一の映画監督、同一の俳優に関する情報等であり、光ディスク９が音楽ソフトであると、同一歌手の曲に関する情報、同一ジャンルの曲に関する情報等である。なお、この場合、光ディスク９や無線タグ８に、タイトル等の比較的小さなデータのみが含まれ、大きなデータである本編や曲全体をネットワークを介し、取得してもよい。制御データとは、機能の追加、変更等のディスク再生装置１０に使用されるソフトウェアのバージョンアップ等を行うデータである。
【００３９】
無線タグ８は、光ディスク９に貼り付けられるように設けられており、当該無線タグ８には、追加データ取得情報が格納されている。この追加データ取得情報には、光ディスク９固有の識別情報が含まれている。つまり、無線タグ８から読み取った光ディスク９の固有の識別情報に基づいて、追加データ取得サーバ２０から追加データを取得する。
【００４０】
また、上記の追加データ取得情報は、光ディスク９の記録データ９ａにも含まれている。光ディスク９の記録データ９ａは、光ディスクドライブ１に装填されることにより読み取られる。
【００４１】
無線タグ８および記録データ９ａに含まれる追加データ取得情報に基づき、追加データ提供サーバ２０から追加データのダウンロードが行われるのは、ディスク再生装置１０のアイドル時間であり、好ましくは、無線タグ８が設けられている光ディスク９の再生前である。
【００４２】
アイドル時間に追加データ１１のダウンロードをすると、再生時における制御部３やメモリ等の負荷が低減し、再生の中断やエラーの発生が抑制される。
さらに、ダウンロードが行われるアイドル時間が光ディスク９の再生前であると、光ディスク９の追加データ１１を再生前に予め取得できる。
【００４３】
無線タグ８の追加データ取得情報に基づいて、追加データ１１が取得できるディスク再生装置１０では、無線タグ８と無線タグ読み取り部７との間で、無線通信が行われる。つまり、無線タグ８から電磁波が発せられて、電磁波を無線タグ読み取り部７が受信することにより、無線通信が行われて追加データ取得情報を取得する。
無線タグ読み取り部７は、同時に複数の識別情報を読み取ることができるので、ディスク再生装置１０の周囲に複数の光ディスク９が存在する場合であっても、複数の光ディスク９固有の識別情報を読み取ることができる。このため、制御部３のアイドル時間を有効に使うことができる。
【００４４】
さらに、前述のように、光ディスク９の記録データ９ａにも追加データ取得情報、すなわち光ディスク９固有の識別情報が含まれていることが好ましい。
無線タグ８のみに光ディスク９固有の識別情報が含まれていると、複数の光ディスク９固有の識別情報を読み取ることができる一方で、光ディスクドライブ１のローディングトレイに装填されている光ディスク９が、無線タグ読み取り部７で認識できる複数の光ディスク９の中のいずれのディスクであるかは判別することができない。
しかし、光ディスク９の記録データ９ａに追加データ取得情報、すなわち光ディスク９固有の識別情報が含まれていると、光ディスクドライブ１に装填された光ディスク９を判別でき、追加データ１１の再生時に、当該追加データ１１の検索や選択を容易に行うことができる。
【００４５】
図２は、本発明の実施形態にかかる追加データ取得のフローチャートである。
ディスク再生装置１０の電源をＯＮすると、追加データ１１の取得が開始される。まず、ディスク再生装置１０がアイドル状態であるか否かを確認する（Ｓ１）。電源ＯＮ直後に再生等が行われており、アイドル状態でない場合は、アイドル状態になるまで待つ（Ｓ１でＮＯ）。アイドル状態であることが確認されると（Ｓ１でＹＥＳ）、無線タグ８の追加データ取得情報の読み取りを行う（Ｓ２）。
【００４６】
この場合、無線タグ８により追加データ１１の取得を行っているので、追加データ１１の取得が行われる光ディスク９には、光ディスクドライブ１に装填されている光ディスク９だけでなく、ディスク再生装置１０の近傍、例えばラック（棚）に置かれている光ディスク９も含まれる。
【００４７】
その後、追加データ取得情報に含まれるアドレス情報、例えばインターネットではＵＲＬ（Uniform Resource Locator）等を取得する（Ｓ３）。そして、追加データ１１を追加データ取得サーバ２０からダウンロードし（Ｓ４）、記憶部２に保存する（Ｓ５）。
【００４８】
次に、無線タグ８や無線タグ読み取り部７の電磁波が届く範囲の光ディスク９の追加データ１１が全てダウンロードされ保存されているか否かを判別する（Ｓ６）。
追加データ１１が全て保存されていないと（Ｓ６でＮＯ）、ステップＳ１に戻り、再度アイドル状態であるかどうかを確認し、ステップＳ２以降の処理を実行する。
追加データ１１が全てダウンロードされ保存されていると（Ｓ６でＹＥＳ）、追加データ取得処理を終了する。
なお、追加データ１１のダウンロードを行い保存している間はアイドル状態、すなわち光ディスク９の再生や記録が行われていない状態であることはいうまでもない。また、図２に示すフローは追加データの取得を時系列的に示す一例であり、本発明の趣旨を損なわない範囲で、制御の削除、追加、変更がある他のフローであってもよい。
【００４９】
本発明では、以上述べた以外にも種々の実施形態を採用することができる。例えば、上記実施形態では、記憶部２は比較的大きなデータである映像データを格納するためＨＤＤからなっているが、他の記憶装置であってもよく、制御データ等の比較的小さなデータのみを格納する場合はフラッシュメモリ等の不揮発性メモリ、その他の記憶装置であってもよい。また、操作部４は、操作パネルではなく、リモコンであってもよい。
【００５０】
上記実施形態では、無線タグ８は光ディスク９自体に設けられているが、個別の光ディスク９に対応するようなものであれば、光ディスク９のケース（パッケージ）、光ディスク９の説明書、歌詞カード等に設けられたものであってもよい。
また、上記実施形態では、ディスク再生装置１０の出力側にテレビ３０が接続されているが、音声のみを出力する場合では、スピーカ等のみであってもよく、その他ＰＣ等の出力機器であってもよい。
【００５１】
ネットワーク接続部６と追加データ提供サーバ２０との間のネットワークは、インターネット以外にもＬＡＮ、ＷＡＮ等どのようなネットワークであってもよく、また、無線、有線のいずれであってもよい。
【００５２】
さらに、上記実施形態では、メディアとして光ディスク９を例に挙げたが、本発明は、光ディスクに限らず、ハードディスクや半導体記録デバイスなど、各種のメディアを再生する装置に適用することができる。
【図面の簡単な説明】
【００５３】
【図１】本発明の実施形態にかかるディスク再生装置のブロック図である。
【図２】本発明の実施形態にかかる追加データ取得のフローチャートである。
【符号の説明】
【００５４】
１    光ディスクドライブ
２    記憶部
３    制御部
６    ネットワーク接続部
７    無線タグ読み取り部
８    無線タグ
９    光ディスク
９ａ  記録データ
１０  ディスク再生装置
１１  追加データ
２０  追加データ提供サーバ
【図１】
2009093773.tif 000003
【図２】
2009093773.tif 000004